(57)【要約】      （修正有）【課題】既存横葺き屋根材の２段以上の上面に載せることができる幅を有することにより、支持材用の横溝部を設けた場合でも断熱性を大幅に下げることなく、厚みも薄くしてコストを抑えることができる断熱下地材及びこれを用いた横葺き屋根改修工法を提供する。【解決手段】既存横葺き屋根材２の２段以上の上面に載せることができる断熱下地材１であり、軒棟及び左右方向には隣り合う断熱下地材１同士の接続手段が設けられている。また、上面には支持材を挿入することができる横溝部１ａが設けられ、横溝部１ａの底面は既存横葺き屋根材２の軒棟組み合わせ箇所近傍と離隔し、かつ断熱性及び強度を保てる位置に形成されている。そして、下面は既存横葺き屋根材２の段差及び有効寸法に合わせた形状に形成され、軒棟方向に隣り合う横溝部１ａ同士が６０６ｍｍ以下の等間隔である断熱下地材１を用いる。【選択図】図３
2011038279.tif 000002
【特許請求の範囲】
【請求項１】
既存横葺き屋根材の上面に載せられる断熱下地材において、
該断熱下地材は前記既存横葺き屋根材の２段以上の上面に載せることができる幅を有し  ており、        
断熱下地材の棟側には棟側被重なり部が、軒側には軒側重なり部が形成されており、
断熱下地材の左右方向は、一側に横重なり部が、他側に横被重なり部が形成されており、
前記断熱下地材の上面は横溝部を有しており、                                      該横溝部の幅は縦葺き屋根材用支持材を挿入できるように形成されており、
横溝部の高さは横溝部に支持材を載せたとき、該支持材の上面と前記断熱下地材の上面の位置とがほぼ同じになるように形成されており、
横溝部の底面は既存横葺き屋根材の軒棟組み合わせ箇所近傍と離隔しており、
かつ断熱性及び強度を保てる位置に形成されており、
断熱下地材の下面は既存横葺き屋根材の段差及び有効寸法に合わせた形状に形成されており、
前記棟側被重なり部の棟側端縁が既存横葺き屋根材の軒側に当接されて
既存横葺き屋根材の２段以上の上面に載せられたときに、
下段に載せられている断熱下地材の棟側被重なり部に、
上段に載せられている断熱下地材の軒側重なり部が組み合わせられており、
左右に隣り合う断熱下地材の横被重なり部に横重なり部が組み合わせられており、
軒棟方向に隣り合う横溝部同士は６０６ｍｍ以下の等間隔であることを特徴とする断熱下地材。
【請求項２】
既存横葺き屋根材の２段以上の上面に請求項１記載の断熱下地材が載せられており、
該断熱下地材の上面に新設屋根材が取り付けられる横葺き屋根改修工法。
【発明の詳細な説明】
【技術分野】
【０００１】
本発明は、既存横葺き屋根材の上面に用いる断熱下地材及び、この断熱下地材を用いて横葺き又は縦葺きの新設屋根材を施工する改修工法に関するものである。
【背景技術】
【０００２】
従来の技術について、図７と図８に基づいて説明する。図７は特開平１１−２３６７５０号公報に示されている技術であり、図８は特許第３７６９２０５号公報に示されている技術である。
【０００３】
まず、図７に示されている技術について説明する。
これは、既設屋根板１０で形成される凹部を埋め、屋根傾斜面と平行な上面を形成するバックアップ材３１を各段の既設屋根板１０の上に配置し、新たな屋根下地面を形成する。そして、この屋根下地面に対して新設金属屋根板３０が取り付けられる。
【０００４】
次に、図８に示されている技術について説明する。
これは、上面に、深縦溝部１７ｂと浅縦溝部１７ａ、深横溝部１８ｂと浅横溝部１８ａが設けられている断熱下地材Ａであり、深縦溝部１７ｂ及び浅縦溝部１７ａはそれぞれ縦支持材を挿入できる幅を有しており、深横溝部１８ｂ及び浅横溝部１８ａは横支持材を挿入できる幅を有している。また、下面には既存の瓦棒をまたぐことができる形状の切り欠き条部１２が設けられている。
【先行技術文献】
【特許文献】
【０００５】
【特許文献１】特開平１１−２３６７５０号公報
【特許文献２】特許第３７６９２０５号公報
【発明の概要】
【発明が解決しようとする課題】
【０００６】
図７に示されている技術においては、バックアップ材３１が各段ごとに配置されている。
このバックアップ材３１の上に新設縦葺き屋根材を敷設する場合、通常縦葺き屋根材は、軒棟方向に所定間隔で取り付けられた下地材に固定される。このため、下地材に新設縦葺き屋根材を固定するための支持材用の横溝部を設けることになる。
特許文献１に、新設縦葺き屋根材を敷設する実施例は記載されていないが、上述の場合、横溝部の欠損部分が各段ごとに形成されるため、特に既設屋根板１０の軒棟方向の有効寸法が短い場合には、断熱性が大幅に下がるという課題があった。
【０００７】
図８に示されている技術においては、断熱下地材Ａの上面に、深縦溝部１７ｂと浅縦溝部１７ａ、深横溝部１８ｂと浅横溝部１８ａ、また、下面に瓦棒をまたぐことができる切り欠き条部１２が設けられている。そのため、ある程度の断熱下地材Ａの厚みが必要になることで、コストが高くなるという課題があった。
【課題を解決するための手段】
【０００８】
請求項１記載の発明は、既存横葺き屋根材の上面に載せられる断熱下地材であり、該断熱下地材は前記既存横葺き屋根材の２段以上の上面に載せることができる幅を有している。
断熱下地材の棟側には棟側被重なり部が、軒側には軒側重なり部が形成されており、左右方向は、一側に横重なり部が、他側に横被重なり部が形成されている。
前記断熱下地材の上面は横溝部を有しており、該横溝部の幅は縦葺き屋根材用支持材を挿入できるように形成されていて、横溝部の高さは横溝部に支持材を載せたとき、該支持材の上面と断熱下地材の上面の位置とがほぼ同じになるように形成されている。また、横溝部の底面は既存横葺き屋根材の軒棟組み合わせ箇所近傍と離隔しており、かつ断熱性及び強度を保てる位置に形成されている。
さらに、断熱下地材の下面は既存横葺き屋根材の段差及び有効寸法に合わせた形状に形成されている。
そして、前記棟側被重なり部の棟側端縁が既存横葺き屋根材の軒側に当接されて、既存横葺き屋根材の２段以上の上面に載せられたとき、下段に載せられている断熱下地材の棟側被重なり部に、上段に載せられている断熱下地材の軒側重なり部が組み合わせられており、左右に隣り合う断熱下地材の横被重なり部に横重なり部が組み合わせられている。
また、軒棟方向に隣り合う横溝部同士が６０６ｍｍ以下の等間隔で設けられていることを特徴とする断熱下地材である。
【０００９】
請求項２記載の発明は、既存横葺き屋根材の２段以上の上面に請求項１記載の断熱下地材が載せられており、該断熱下地材の上面に新設屋根材が取り付けられる既存横葺き屋根材の改修工法である。
【発明の効果】
【００１０】
図７においては、バックアップ材３１が各段ごとに配置されている。そのため、支持材用の横溝部を設けた場合には欠損部分が各段ごとに形成され、断熱性が大幅に下がるという課題があった。
それに比べて本発明は、断熱下地材を既存横葺き屋根材の２段以上の上面に載せることができるため、横溝部の数を一つの断熱下地材に対して一つ設けて限定し、欠損部分を少なくすることができた。それによって、断熱性を大幅に下げることなく、新設縦葺き屋根材を敷設することができるようになった。
【００１１】
図８においては、断熱下地材Ａの上面に深縦溝部１７ｂと浅縦溝部１７ａ、深横溝部１８ｂと浅横溝部１８ａ、また、下面には瓦棒をまたぐことができる切り欠き条部１２が設けられている。そのため、ある程度の断熱下地材Ａの厚みが必要となって、コストが高くなるという課題があった。
それに比べて本発明は、断熱下地材の上面に設ける溝は横溝部のみであり、下面は既存横葺き屋根材の段差及び有効寸法に合わせた形状であるため、断熱下地材の厚みを薄くして、コストを抑えることができるようになった。
また、横溝部の底面が軒棟組み合わせ箇所近傍と離隔した位置に形成されているため、断熱下地材の断熱性及び強度を保つことができるようになった。
【図面の簡単な説明】
【００１２】
【図１】本発明にかかる断熱下地材の斜視図である。
【図２】図１に示した断熱下地材の右側面図である。
【図３】既存横葺き屋根材を改修して新設横葺き屋根材を施工する場合の説明図である。
【図４】既存横葺き屋根材を改修して新設縦葺き屋根材を施工する場合の説明図である。
【図５】有効寸法の短い既存横葺き屋根材を改修して新設横葺き屋根材を施工する場合の説明図である。
【図６】支持材の実施例の斜視図である。
【図７】従来の技術を説明する図である。
【図８】従来の技術を説明する図である。
【実施例】
【００１３】
本発明の実施例について、図１〜図６に基づいて説明する。図１は断熱下地材１の斜視図、図２は断熱下地材１の右側面図、図３は既存横葺き屋根材２を改修して新設横葺き屋根材３を施工する場合の説明図、図４は既存横葺き屋根材２を改修して新設縦葺き屋根材４を施工する場合の説明図、図５は有効寸法の短い既存横葺き屋根材２を改修して新設横葺き屋根材３を施工する場合の説明図、図６は支持材５の実施例の斜視図である。
【００１４】
まず、断熱下地材１について図１及び図２により説明する。
ここに示した断熱下地材１は、既存横葺き屋根材２の上面に載せられるものであり、既存横葺き屋根材２の２段以上の上面に載せることができる幅を有している。
また、断熱下地材１同士の接続手段として、断熱下地材１の棟側には棟側被重なり部１ｂが、軒側には軒側重なり部１ｃが形成されており、左右方向には、一側に横重なり部１ｆが、他側に横被重なり部１ｅが形成されている。
【００１５】
さらに、断熱下地材１の上面には横溝部１ａが形成されている。
この横溝部１ａについて図３〜図６により説明する。
横溝部１ａの幅は、図６に示した支持材５を挿入できるように形成されている。
また、横溝部１ａの高さは、横溝部１ａに支持材５を挿入したとき、支持材５の上面と断熱下地材１の上面とがほぼ同じ高さになるように形成されている。
さらに、横溝部１ａの底面は、既存横葺き屋根材２の軒棟組み合わせ箇所近傍と離隔しており、かつ断熱性及び強度を保てる位置に形成されている。断熱性及び強度を保てる位置というのは、横溝部１ａの底面の下方に横溝部１ａの高さ以上の厚みを断熱下地材１に残した位置のことである。このような位置に横溝部１ａの底面が形成されない場合、横溝部１ａの底面と既存横葺き屋根材２とが近接し、断熱下地材１ａの厚みが薄くなってしまうため、断熱性及び強度が十分に保てない恐れがある。
また、横溝部１ａの位置は、断熱下地材１の上面の軒棟方向の中央付近であって、棟側被重なり部１ｂ及び軒側重なり部１ｃの厚みよりも厚い位置に形成されることが望ましい。
【００１６】
そして、断熱下地材１の下面は、既存横葺き屋根材２の段差及び有効寸法に合わせた形状に形成されている。そのため、既存横葺き屋根材２の上面に断熱下地材１が載せられたとき、既存横葺き屋根材２と断熱下地材１との間は隙間無く配置されるため、断熱性が向上する。
また、軒棟方向に隣り合う断熱下地材１の上面の横溝部１ａ同士は、６０６ｍｍ以下の等間隔となる。
【００１７】
このような断熱下地材１において、断熱下地材１の棟側被重なり部１ｂの棟側端縁１ｄが既存横葺き屋根材２の軒側に当接されて、既存横葺き屋根材２の２段以上の上面に載せられたときの様子を、図３〜図５により説明する。
このとき、下段に載せられている断熱下地材１の棟側被重なり部１ｂの上段に、軒側重なり部１ｃが組み合わせられており、左右に隣り合う断熱下地材１の横被重なり部１ｅに横重なり部１ｆが組み合わせられている。それにより、断熱下地材１同士が隙間無く配置されるため、断熱性が向上し、さらにはフラットな下地を形成して安定性を保つこともできる。
【００１８】
次に、これまでに説明してきた断熱下地材１の実施例を用いて、既存横葺き屋根材２を改修する工法について図３〜図６により説明する。
【００１９】
まず、図３に基づいて、既存横葺き屋根材２を改修して新設横葺き屋根材３を施工する場合の改修工法について説明する。
既存横葺き屋根材２の上面に断熱下地材１を載せるが、このとき、断熱下地材１の棟側被重なり部１ｂの棟側端縁１ｄが既存横葺き屋根材２の軒側に当接され、既存横葺き屋根材２の２段の上面に載せられるように配置されている。そして、断熱下地材１の棟側被重なり部１ｂの上段に軒側重なり部１ｃが組み合わせられており、左右に隣り合う断熱下地材１の横被重なり部１ｅに横重なり部１ｆが組み合わせられている。また、断熱下地材１の上面には、軒棟方向に隣り合う横溝部１ａ同士が６０６ｍｍ以下の等間隔で設けられている。
この断熱下地材１の上面に新設横葺き屋根材３を敷設していくが、新設横葺き屋根材３を固定するための止着具７は、断熱下地材１を貫通させて、既存下地または既存タルキ６に止める。
【００２０】
次に、図４に基づいて、既存横葺き屋根材２を改修して新設縦葺き屋根材４を施工する場合の改修工法について説明する。
既存横葺き屋根材２の上面に断熱下地材１を載せるが、このとき、断熱下地材１の棟側被重なり部１ｂの棟側端縁１ｄが既存横葺き屋根材２の軒側に当接され、既存横葺き屋根材２の２段の上面に載せられるように配置されている。そして、断熱下地材１の棟側被重なり部１ｂの上段に軒側重なり部１ｃが組み合わせられており、左右に隣り合う断熱下地材１の横被重なり部１ｅに横重なり部１ｆが組み合わせられている。また、断熱下地材１の上面には、軒棟方向に隣り合う横溝部１ａ同士が６０６ｍｍ以下の等間隔で設けられている。
それから、横溝部１ａに支持材５を挿入し、支持材５の止着部５ａから止着具７を打ち込む。こうして断熱下地材１を貫通させて、既存下地または既存タルキ６に止める。 
この上に新設縦葺き屋根材４を敷設していくが、新設縦葺き屋根材４を固定するための吊り子８は、支持材５に止めて止着具７にて固定し、キャップ９を被せる。
【００２１】
図５に基づいて、軒棟方向の有効寸法の短い既存横葺き屋根材２を改修して新設横葺き屋根材３を施工する場合の改修工法について説明する。
既存横葺き屋根材２の上面に断熱下地材１を載せるが、このとき、断熱下地材１の棟側被重なり部１ｂの棟側端縁１ｄが既存横葺き屋根材２の軒側に当接され、軒棟方向の有効寸法の短い既存横葺き屋根材２であるため、３段の上面に載せられるように配置されている。そして、断熱下地材１の棟側被重なり部１ｂの上段に軒側重なり部１ｃが組み合わせられており、左右に隣り合う断熱下地材１の横被重なり部１ｅに横重なり部１ｆが組み合わせられている。また、断熱下地材１の上面には、軒棟方向に隣り合う横溝部１ａ同士が６０６ｍｍ以下の等間隔で設けられている。
この断熱下地材１の上面に新設横葺き屋根材３を敷設していくが、新設横葺き屋根材３を固定するための止着具７は、断熱下地材１を貫通させて、既存下地または既存タルキ６に止める。
【符号の説明】
【００２２】
１      断熱下地材
１ａ    横溝部
１ｂ    棟側被重なり部
１ｃ    軒側重なり部
１ｄ    棟側端縁
１ｅ    横被重なり部
１ｆ    横重なり部
２      既存横葺き屋根材
３      新設横葺き屋根材
４      新設縦葺き屋根材
５      支持材
５ａ    止着部
６      既存タルキ
７      止着具
８      吊り子
９      キャップ
１０    既存屋根板
３０    新設金属屋根板
３１    バックアップ材
Ａ      断熱下地材
１７ａ  浅縦溝部
１７ｂ  深縦溝部
１８ａ  浅横溝部
１８ｂ  深横溝部
１２    切り欠き条部
【図１】
2011038279.tif 000003
【図２】
2011038279.tif 000004
【図３】
2011038279.tif 000005
【図４】
2011038279.tif 000006
【図５】
2011038279.tif 000007
【図６】
2011038279.tif 000008
【図７】
2011038279.tif 000009
【図８】
2011038279.tif 000010